(57)【要約】【課題】チューナーメトロノームにおいて、音高の偏差及びテンポの両方を視覚で容易に把握できるようにする。【解決手段】表示部２と、入力された音高と所定の標準音高との偏差に応じて移動する第一画像１１、及び、指定されたテンポに応じて所定の周期で移動する第二画像１２、を表示部２に表示させる表示制御部と、を備えるチューナーメトロノームを提供する。【選択図】図２
2019045825.tif 000002
【特許請求の範囲】
【請求項１】
表示部と、
入力された音高と所定の標準音高との偏差に応じて移動する第一画像、及び、指定されたテンポに応じて所定の周期で移動する第二画像、を前記表示部に表示させる表示制御部と、を備えるチューナーメトロノーム。
【請求項２】
前記第一画像の移動方向及び前記第二画像の移動方向が、互いに平行する請求項１に記載のチューナーメトロノーム。
【請求項３】
前記第一画像の移動方向及び前記第二画像の移動方向が、基準点を中心とする周方向である請求項１又は請求項２に記載のチューナーメトロノーム。
【請求項４】
前記第一画像の移動範囲と前記第二画像の移動範囲とが、前記基準点を中心とする径方向において隣り合う請求項３に記載のチューナーメトロノーム。
【請求項５】
前記表示部が、
前記第一画像の移動方向に配列された複数の第一セグメントと、
前記第二画像の移動方向に配列された複数の第二セグメントと、
を備える請求項２から請求項４のいずれか一項に記載のチューナーメトロノーム。
【請求項６】
前記表示部に前記第二画像を表示しない場合には、前記第一画像を前記第一セグメント及び前記第二セグメントによって表示し、
前記表示部に前記第一画像を表示しない場合には、前記第二画像を前記第一セグメント及び前記第二セグメントによって表示する請求項５に記載のチューナーメトロノーム。
【請求項７】
前記第一画像の移動範囲と前記第二画像の移動範囲とが、互いに重なる請求項１から請求項３のいずれか一項に記載のチューナーメトロノーム。
【請求項８】
チューナーメトロノームの表示制御部が、入力された音高と所定の標準音高との偏差に応じて移動する第一画像と、指定されたテンポに応じて所定の周期で移動する第二画像とを、表示部に表示させる表示方法。
【請求項９】
コンピュータに、入力された音高と所定の標準音高との偏差に応じて移動する第一画像と、指定されたテンポに応じて所定の周期で移動する第二画像とを、表示部に表示させるステップを実行させるためのプログラム。
【発明の詳細な説明】
【技術分野】
【０００１】
本発明は、チューナーメトロノーム、表示方法及びプログラムに関する。
【背景技術】
【０００２】
従来、チューナー及びメトロノームの両方の機能を有するチューナーメトロノームがある。チューナーは、楽器などの調律を行うために、入力された音の高さ（音高）と所定の標準音高（音階）との偏差を示す機能である。メトロノームは、楽曲演奏の際に所定のテンポ（リズム）を示す機能である。
特許文献１には、チューナー及びメトロノームの両方の機能を同時に使用することができるチューナーメトロノームが開示されている。特許文献１のチューナーメトロノームでは、チューナーによる音高の偏差を表示手段に表示させ、メトロノームによる所定のテンポを音（クリック音）で示す。
【先行技術文献】
【特許文献】
【０００３】
【特許文献１】特許第４１３２９３８号公報
【発明の概要】
【発明が解決しようとする課題】
【０００４】
しかしながら、特許文献１のチューナーメトロノームでは、音高の偏差及びテンポを共に視覚によって把握することができない。
【０００５】
本発明は、上述した事情に鑑みてなされたものであって、音高の偏差及びテンポの両方を視覚で容易に把握できるチューナーメトロノーム、表示方法及びプログラムを提供することを目的とする。
【課題を解決するための手段】
【０００６】
本発明のチューナーメトロノームは、表示部と、入力された音高と所定の標準音高との偏差に応じて移動する第一画像、及び、指定されたテンポに応じて所定の周期で移動する第二画像、を前記表示部に表示させる表示制御部と、を備える。
【０００７】
本発明の表示方法は、チューナーメトロノームの表示制御部が、入力された音高と所定の標準音高との偏差に応じて移動する第一画像と、指定されたテンポに応じて所定の周期で移動する第二画像とを、表示部に表示させる。
【０００８】
本発明のプログラムは、コンピュータに、入力された音高と所定の標準音高との偏差に応じて移動する第一画像と、指定されたテンポに応じて所定の周期で移動する第二画像とを、表示部に表示させるステップを実行させる。
【発明の効果】
【０００９】
本発明によれば、音高の偏差及びテンポがそれぞれ第一画像、第二画像の移動や移動した位置によって示されるため、音高の偏差及びテンポの両方を視覚で容易に把握することができる。
【図面の簡単な説明】
【００１０】
【図１】本発明の一実施形態に係るチューナーメトロノームを示す機能ブロック図である。
【図２】図１のチューナーメトロノームに備える表示部を示す図である。
【図３】図１のチューナーメトロノームの動作を示すフローチャートである。
【図４】チューナーメトロノームモードにおける表示部の表示例を示す図である。
【図５】チューナーモードにおける表示部の表示例を示す図である。
【図６】メトロノームモードにおける表示部の表示例を示す図である。
【図７】本発明の一実施形態に係るチューナーメトロノームの外観の一例を示す正面図である。
【発明を実施するための形態】
【００１１】
以下、図１−６を参照して本発明の一実施形態について説明する。
図１に示すように、本実施形態に係るチューナーメトロノーム１は、表示部２と、表示制御部３と、を備える。また、本実施形態のチューナーメトロノーム１は、偏差検出部４やメトロノーム部５、モード切換部６も備える。
【００１２】
図１，２に示すように、表示制御部３は、第一画像１１と第二画像１２とを表示部２に表示させる。第一画像１１は、入力された音高と所定の標準音高との偏差（音高の偏差）に応じて移動する画像である。第二画像１２は、指定されたテンポに応じて所定の周期で移動する画像である。
【００１３】
本実施形態において、表示制御部３は、偏差検出部４から出力される音高の偏差に基づいて、第一画像１１を表示部２に表示させる。
偏差検出部４は、入力された音高と所定の標準音高との偏差を検出する。具体的に説明すれば、偏差検出部４には、互いに半音階ずつ異なる複数の標準音高が記憶されている。偏差検出部４は、例えば、楽器等から発せられる音の高さ（音高）を検出し、複数の標準音高のうち検出された音高に最も近い所定の標準音高と、検出された音高との偏差を検出してよい。また、偏差検出部４は、例えば、ユーザーによって指定された所定の標準音高と、検出された音高との偏差を検出してもよい。偏差検出部４は、検出した音高の偏差に応じた信号（出力データ）を出力する。
【００１４】
偏差検出部４は、入力された音高と所定の標準音高との偏差を継続的に検出する。このため、偏差検出部４に入力される音高が変化すると、偏差検出部４から出力される音高の偏差も変化する。これにより、表示部２に表示される第一画像１１は、音高の偏差の変化に応じて移動する。
【００１５】
本実施形態において、表示制御部３は、メトロノーム部５から出力されるテンポに基づいて、第二画像１２を表示部２に表示させる。メトロノーム部５は、ユーザーによって指定された所定のテンポに応じた信号（出力データ）を出力する。
【００１６】
表示制御部３は、少なくとも偏差検出部４及びメトロノーム部５からの出力信号に基づいて第一画像１１及び第二画像１２の両方を表示部２に表示させるモード（チューナーメトロノームモード）で動作する機能を有すればよい。
本実施形態の表示制御部３は、チューナーメトロノームモード、チューナーモード、メトロノームモードの何れかのモードで動作する。チューナーモードは、偏差検出部４からの出力データに基づいて第一画像１１を表示させる（第二画像１２を表示させない）モードである。メトロノームモードは、メトロノーム部５からの出力データに基づいて第二画像１２を表示部２に表示させる（第一画像１１を表示させない）モードである。
【００１７】
本実施形態において、表示制御部３が動作するモード（表示制御部３の動作モード）は、モード切換部６から出力されるモード切換信号に応じて切り換えられる。モード切換部６の構成は任意であってよい。モード切換部６は、例えばユーザーが操作する操作ボタン等の操作内容や、キーボード等の外部装置からの信号（モード切換信号に対応する信号）などによって、指定された動作モードを表示制御部３に供給するようにしてもよい。前述の操作ボタンは、例えば図７に示すように、表示部２と共に筐体７に設けられる操作ボタン８であってよい。
【００１８】
次に、表示部２に表示される第一画像１１、第二画像１２について、主に図２を参照して説明する。
【００１９】
表示部２に表示される第一画像１１、第二画像１２の形状は円形状や多角形状など任意であってよい。本実施形態における第一画像１１、第二画像１２の形状は直線状又は針状である。第一画像１１、第二画像１２は、表示部２において第一画像１１、第二画像１２の長手方向に直交する方向（第一画像１１、第二画像１２の幅方向）に移動するように表示される。第一画像１１、第二画像１２の線幅は、例えば互いに異なっていてもよいが、本実施形態では互いに等しい。
【００２０】
表示部２における第一画像１１及び第二画像１２の各移動方向は、例えば互いに異なっていてよい。本実施形態において、第一画像１１、第二画像１２の移動方向は、互いに平行している。
第一画像１１、第二画像１２の移動方向は、例えば真っ直ぐな方向（直線方向）であってよい。本実施形態における第一画像１１、第二画像１２の移動方向は、仮想の基準点ＲＰを中心とする周方向Ｄ１となっている。これに伴い、直線状に形成された第一画像１１、第二画像１２の長手方向は、基準点ＲＰを中心とする径方向Ｄ２に一致している。
【００２１】
第二画像１２は、指定されたテンポに応じて、例えば周方向Ｄ１の一方側にのみ移動してもよいが、本実施形態では周方向Ｄ１の所定範囲内において往復移動する。同様に、本実施形態の第一画像１１も、周方向Ｄ１の所定範囲内で移動する。このため、周方向Ｄ１における第一画像１１、第二画像１２の移動範囲ＭＲ１，ＭＲ２は、各々円弧状又は扇状の領域で示すことができる。周方向Ｄ１における第一画像１１、第二画像１２の移動範囲ＭＲ１，ＭＲ２は、任意であってよいが、本実施形態では１８０度よりも小さい。
【００２２】
第一画像１１の移動範囲ＭＲ１と第二画像１２の移動範囲ＭＲ２は互いに等しくてもよいが、本実施形態では互いに異なっている。具体的に、第二画像１２の移動範囲ＭＲ２は、第一画像１１の移動範囲ＭＲ１よりも狭い。
【００２３】
第一画像１１の移動範囲ＭＲ１と第二画像１２の移動範囲ＭＲ２とは、基準点ＲＰを中心とする径方向Ｄ２において隣り合ってよい。第一画像１１の移動範囲ＭＲ１は、例えば径方向Ｄ２において第二画像１２の移動範囲ＭＲ２の内側に隣り合ってもよいが、本実施形態では第二画像１２の移動範囲ＭＲ２の外側に隣り合っている。
【００２４】
本実施形態の表示部２には、表示制御部３における動作モードを示すモード表示画像１３が表示される。モード表示画像１３には、チューナーモードを表す第一モード画像１３Ａと、メトロノームモードを表す第二モード画像１３Ｂとがある。チューナーメトロノームモードは、第一モード画像１３Ａ及び第二モード画像１３Ｂの両方が表示部２に表示されることで表される。
【００２５】
本実施形態の表示部２には、偏差検出部４において採用された標準音高（音階）を示す音階画像１４、標準音高に対応する周波数を示す周波数画像１５、第一画像１１の移動方向に沿って形成されて音高の偏差を示す目盛り画像１６が表示される。音階画像１４、周波数画像１５、目盛り画像１６は、表示制御部３がチューナーモード又はチューナーメトロノームモードで動作する場合に表示部２に表示される。
【００２６】
本実施形態の表示部２には、メトロノーム部５において指定されたテンポの数値を示すテンポ画像１７が表示される。テンポ画像１７は、表示制御部３がメトロノームモード又はチューナーメトロノームモードで動作する場合に表示部２に表示される。
【００２７】
表示部２は、ＬＣＤ（Liquid Crystal Display）、ＣＲＴ（Cathode Ray Tube）、プロジェクタ等の各種表示装置であってよい。表示部２は、例えばドットマトリクス方式の表示装置であってもよいが、本実施形態ではセグメント方式の表示装置である。
【００２８】
本実施形態の表示部２は、第一画像１１の移動方向（例えば図２において周方向Ｄ１）に配列された複数の第一セグメント２１と、第二画像１２の移動方向（例えば図２において周方向Ｄ１）に配列された複数の第二セグメント２２と、を備える。表示部２では、複数の第一セグメント２１、第二セグメント２２の点灯を適宜切り換えることで第一画像１１、第二画像１２の移動を表すことができる。
【００２９】
第一画像１１の移動方向において複数の第一セグメント２１が配列される範囲は、第一画像１１の移動範囲ＭＲ１に対応している。
第二画像１２の移動方向において複数の第二セグメント２２が配列される範囲は、例えば第二画像１２の移動範囲ＭＲ２に対応してもよい。第一画像１１及び第二画像１２の移動方向が互いに平行している本実施形態において、複数の第二セグメント２２が配列される範囲は、第一画像１１の移動範囲ＭＲ１に対応している。すなわち、第二セグメント２２は、第一画像１１、第二画像１２の移動方向において、第二画像１２の移動範囲ＭＲ２の外側に位置する領域Ｒ３（外側領域Ｒ３）にも配列されている。
【００３０】
第一セグメント２１、第二セグメント２２の形状は、前述した第一画像１１、第二画像１２の形状に対応している。本実施形態における第一セグメント２１、第二セグメント２２は、それぞれ基準点ＲＰを中心とする径方向Ｄ２に延びる直線状又は針状に形成されている。本実施形態において、第一セグメント２１及び第二セグメント２２の数は、互いに一致している。
また、本実施形態において、複数の第一セグメント２１及び複数の第二セグメント２２は、基準点ＲＰの径方向Ｄ２に並ぶ第一セグメント２１と第二セグメント２２とによって一本の線を表すように配列されている（図４(ａ)、図４（ｄ）、図５，６参照）。
【００３１】
第一セグメント２１は、少なくとも第一画像１１に対応すればよい。同様に、第二セグメント２２は、少なくとも第二画像１２に対応すればよい。本実施形態では、前述した表示制御部３の動作モードに応じて、第一セグメント２１、第二セグメント２２と、第一画像１１、第二画像１２との対応が異なる。
表示制御部３がチューナーメトロノームモードで動作する場合には、第一セグメント２１が第一画像１１のみに対応し、第二セグメント２２が主に第二画像１２に対応する。すなわち、第一画像１１が主に第一セグメント２１の点灯によって表示され、第二画像１２が第二セグメント２２の点灯によって表示される（図２，４参照）。
【００３２】
表示制御部３がチューナーモードで動作する場合には、例えば第一セグメント２１が第一画像１１に対応してもよいが、本実施形態では第一セグメント２１及び第二セグメント２２が第一画像１１に対応する。すなわち、第一画像１１が第一セグメント２１及び第二セグメント２２の点灯によって表示される（図５参照）。
表示制御部３がメトロノームモードで動作する場合には、例えば第二セグメント２２が第二画像１２に対応してもよいが、本実施形態では第一セグメント２１及び第二セグメント２２が第二画像１２に対応する。すなわち、第二画像１２が第一セグメント２１及び第二セグメント２２の点灯によって表示される（図６参照）。
【００３３】
次に、上記したチューナーメトロノーム１の動作について、主に図３のフローチャートを参照して説明する。
チューナーメトロノーム１では、はじめに、表示制御部３が、モード切換部６から表示制御部３の動作モードを表す信号(モード信号)を取得する（ステップＳ１）。
次いで、表示制御部３は、モード信号がチューナーメトロノームモードを表す信号であるか否かを判定する(ステップＳ２)。具体的に、ステップＳ２において、表示制御部３は、チューナーメトロノームモード、チューナーモード、メトロノームモードのいずれを表す信号であるかを判定する。
【００３４】
表示制御部３は、ステップＳ２において入力されたモード信号がチューナーメトロノームモードであると判定した場合に、音高の偏差を表すデータを偏差検出部４から取得する（ステップＳ３）。また、表示制御部３は、テンポを表すデータをメトロノーム部５から取得する（ステップＳ４）。ステップＳ３，Ｓ４の順番は、例えば逆であってもよいし、同時であってもよい。
その後、表示制御部３は、偏差検出部４やメトロノーム部５から取得したデータに応じて、第一画像１１や第二画像１２を表示部２に表示させる（ステップＳ５）。
【００３５】
一方、表示制御部３は、ステップＳ２において入力されたモード信号が他のモード（チューナーモード、メトロノームモード）であると判定した場合に、他のモードに応じて第一画像１１又は第二画像１２を表示部２に表示させる（ステップＳ６）。例えば、表示制御部３がステップＳ２においてチューナーモードであると判定した場合、ステップＳ６では、第一画像１１のみを表示部２に表示させればよい。また、表示制御部３がステップＳ２においてメトロノームモードであると判定した場合、ステップＳ６では、第二画像１２のみを表示部２に表示させればよい。
【００３６】
ステップＳ５やステップＳ６の後は、ステップＳ７に進み、チューナーメトロノーム１に対して表示部２への画像（第一画像１１や第二画像１２）の表示を終了する指示が入力された場合には、画像表示を終了する。画面表示を終了する指示には、例えばチューナーメトロノーム１に対する電源ＯＦＦの指示などがある。表示終了の指示がない場合には、ステップＳ１の処理が再び行われる。
【００３７】
次に、表示制御部３の各動作モードにおける表示部２の表示例について、主に図４〜６を参照して説明する。
【００３８】
表示制御部３がチューナーメトロノームモードで動作する場合（ステップＳ２において表示制御部３がチューナーメトロノームモードであると判定した場合）、表示部２では図４に例示するように表示される。
チューナーメトロノームモードにおいて、表示制御部３が音高の偏差を表すデータ及びテンポを表すデータを取得していない状態では、図４（ａ）に示すように、第一画像１１が表示部２に表示され、第二画像１２は表示されない。第一画像１１は、その移動範囲の一端（図４（ａ）において左端）に位置する。第一画像１１は、例えば第一セグメント２１によって表示されてよいが、図４（ａ）では、第一セグメント２１及び第二セグメント２２によって表示されている。
【００３９】
図４（ａ）に示す状態において、表示制御部３がテンポを取得した場合には、図４（ｂ）に示すように、第二画像１２が第二セグメント２２によって表示部２に表示される。第二画像１２は、表示制御部３が取得したテンポに応じて、第二画像１２の移動範囲内で周方向Ｄ１に往復移動するように表示される。第一画像１１は、前述と同様に第一画像１１の移動範囲の一端（図４（ｂ）において左端）に表示される。ただし、第一画像１１は、第一セグメント２１によって表示される。
図４（ｂ）に示す状態において、表示制御部３が音高の偏差を取得した場合には、図４（ｃ）、図４（ｄ）に示すように、表示制御部３が取得した音高の偏差に応じて、第一セグメント２１による第一画像１１の表示位置が変化する（例えば、第一画像１１がその移動範囲内で周方向Ｄ１に移動する）。
【００４０】
表示制御部３がチューナーモードで動作する場合（ステップＳ２において表示制御部３がチューナーモードであると判定した場合）、表示部２では図５に例示するように表示される。
チューナーモードにおいて、表示制御部３が音高の偏差を取得していない状態では、図５（ａ）に示すように、第一画像１１が表示部２に表示され、第二画像１２は表示されない。第一画像１１は、その移動範囲の一端（図５（ａ）において左端）に位置する。
【００４１】
図５（ａ）に示す状態において、表示制御部３が音高の偏差を取得した場合には、図５（ｂ）に示すように、表示制御部３が取得した音高の偏差に応じて、第一画像１１の表示位置が変化する（例えば、第一画像１１がその移動範囲内で周方向Ｄ１に移動する）。チューナーモードにおいて、第一画像１１は、例えば第一セグメント２１によって表示されてよいが、図５では第一セグメント２１及び第二セグメント２２によって表示される。
【００４２】
表示制御部３がメトロノームモードで動作する場合（ステップＳ２において表示制御部３がメトロノームモードであると判定した場合）、表示部２では図６に例示するように表示される。
チューナーメトロノームモードにおいて、表示制御部３がテンポを取得していない状態では、図６（ａ）に示すように、第二画像１２が表示部２に表示され、第一画像１１は表示されない。
【００４３】
図６（ａ）に示す状態において、表示制御部３がテンポを取得した場合、図６（ｂ）に示すように、第二画像１２は、表示制御部３が取得したテンポに応じて、第二画像１２の移動範囲ＭＲ２内で周方向Ｄ１に往復移動するように表示される。
第二画像１２は、例えば第二セグメント２２によって表示されてよいが、図６では第一セグメント２１及び第二セグメント２２によって表示されている。
【００４４】
以上説明したように本実施形態のチューナーメトロノーム１及び表示方法では、チューナーメトロノーム１の表示制御部３が、入力された音高と所定の標準音高との偏差に応じて移動する第一画像１１と、指定されたテンポに応じて所定の周期で移動する第二画像１２とを、表示部２に表示させる。音高の偏差及びテンポがそれぞれ第一画像１１、第二画像１２の移動や移動した位置によって示されるため、音高の偏差及びテンポの両方を視覚で容易に把握することができる。
【００４５】
また、本実施形態のチューナーメトロノーム１及び表示方法によれば、チューナー機能及びメトロノーム機能の両方を同時に使用しても、テンポを表示部２において所定の周期で移動する第二画像１２で示す。このため、テンポをクリック音で示す従来構成と比較して、テンポの周期を特に容易に把握できる。
【００４６】
また、本実施形態のチューナーメトロノーム１及び表示方法によれば、チューナー機能をなす第一画像１１及びメトロノーム機能をなす第二画像１２が、同一の表示部２に表示される。このため、第一画像１１及び第二画像１２が別個の表示部に表示される場合と比較して、第一画像１１及び第二画像１２を追うための視線移動を小さくすることができる。これにより、音高の偏差及びテンポの両方を容易に把握することができる。
【００４７】
また、本実施形態のチューナーメトロノーム１では、第一画像１１の移動方向及び第二画像１２の移動方向が、互いに平行する。このため、第一画像１１及び第二画像１２が互いに異なる方向に移動する場合と比較して、第一画像１１及び第二画像１２を追うための視線移動を小さくすることができる。したがって、音高の偏差及びテンポの両方をさらに容易に把握することができる。
【００４８】
また、本実施形態のチューナーメトロノーム１では、第一画像１１の移動方向及び第二画像１２の移動方向が、基準点ＲＰを中心とする周方向Ｄ１である。特に、テンポを示す第二画像１２の移動が、機械式メトロノームにおける振り子の動きに類似するため、テンポをさらに容易に把握することができる。
【００４９】
また、本実施形態のチューナーメトロノーム１では、第一画像１１及び第二画像１２の移動範囲ＭＲ１，ＭＲ２が互いに異なっている。このため、第一画像１１及び第二画像１２の移動範囲ＭＲ１，ＭＲ２は互いに等しい場合と比較して、第一画像１１と第二画像１２とを容易に区別することができる。これにより、音高の偏差及びテンポの両方をさらに容易に把握することができる。
【００５０】
また、本実施形態のチューナーメトロノーム１では、第一画像１１の移動範囲ＭＲ１が第二画像１２の移動範囲ＭＲ２よりも広い。このため、第一画像１１の移動範囲ＭＲ１が第二画像１２の移動範囲ＭＲ２よりも狭い場合と比較して、音高の偏差をより正確に把握することが可能となる。
また、指定されたテンポに応じて往復移動する第二画像１２の移動範囲ＭＲ２が第一画像１１の移動範囲ＭＲ１よりも狭いことで、第二画像１２を追うための視線移動を小さくすることができる。これにより、テンポをさらに容易に把握することができる。
【００５１】
また、本実施形態のチューナーメトロノーム１では、第一画像１１の移動範囲ＭＲ１と第二画像１２の移動範囲ＭＲ２とが、基準点ＲＰを中心とする径方向Ｄ２において隣り合う。この場合、表示部２において第一画像１１と第二画像１２とが重なることがないため、重なる場合と比較して、第一画像１１と第二画像１２とを容易に区別することができる。これにより、音高の偏差及びテンポの両方をさらに容易に把握することができる。
【００５２】
また、本実施形態のチューナーメトロノーム１では、第一画像１１の移動範囲ＭＲ１が径方向Ｄ２において第二画像１２の移動範囲ＭＲ２の外側に隣り合う。このため、第一画像１１の移動範囲ＭＲ１が第二画像１２の移動範囲ＭＲ２の内側に隣り合う場合と比較して、周方向Ｄ１における第一画像１１の移動範囲ＭＲ１が長くなる。これにより、音高の偏差をより正確に把握することが可能となる。
【００５３】
また、本実施形態のチューナーメトロノーム１では、表示部２に第二画像１２を表示しない場合（例えば表示制御部３がチューナーモードで動作する場合）に、第一画像１１を第一セグメント２１及び第二セグメント２２によって表示する。また、表示部２に第一画像１１を表示しない場合（例えば表示制御部３がメトロノームモードで動作する場合）には、第二画像１２を第一セグメント２１及び第二セグメント２２によって表示する。このため、表示部２に第一画像１１、第二画像１２の両方を表示する場合（例えば表示制御部３がチューナーメトロノームモードで動作する場合）と比較して、第一画像１１や第二画像１２をより長く又は大きく表示することができる。これにより、第一画像１１又は第二画像１２の視認性が向上し、音高の偏差又はテンポを容易に把握することができる。
【００５４】
本実施形態におけるチューナーメトロノーム１の一部又は全ての機能は、例えばコンピュータで実現するようにしてもよい。この場合、チューナーメトロノーム１の機能（例えば表示制御部３の機能）を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ（Field Programmable Gate Array）等のプログラマブルロジックデバイスを用いて実現されるものであってもよい。
【００５５】
以上、本発明について詳細に説明したが、本発明は上記実施形態に限定されるものではなく、本発明の趣旨を逸脱しない範囲において種々の変更を加えることが可能である。
【００５６】
本発明において、表示部における第一画像の移動範囲と第二画像の移動範囲とは、例えば互いに重なってもよい。第一画像の移動範囲と第二画像の移動範囲とが重なる領域は、第一画像、第二画像の移動範囲の一部であってもよいし、全部であってもよい。この場合、表示部は、セグメント方式の表示装置であってもよいが、ドットマトリクス方式の表示装置の方がより好ましい。
【００５７】
第一画像の移動範囲と第二画像の移動範囲とを重ねる場合、表示部における第一画像及び第二画像の移動範囲の占有領域を小さくすることができる。これにより、表示部やこれを含むチューナーメトロノームの小型化を図ることができる。また、表示部の領域を他の画像の表示に有効に活用することも可能となる。
【００５８】
また、本発明において、表示部における第一画像及び第二画像の形状（例えば実線、破線などの線型）や色は、互いに異なっていてよい。この場合には、第一画像と第二画像とが重なって表示される等しても、第一画像と第二画像とを容易に区別することができる。
【００５９】
本発明において、同一の基準点を中心として周方向に移動する第一画像及び第二画像の移動範囲は、例えば互いに周方向にずれて位置してもよい。
また、本発明において、第一画像及び第二画像の移動方向は、例えば互いに異なる基準点を中心とする周方向であってもよい。
【００６０】
本発明のチューナーメトロノームは、少なくとも表示部及び表示制御部を備えればよい。この場合、偏差検出部やメトロノーム部、モード切換部は、例えば外部装置として構成され、表示制御部と無線又は有線の通信回線によって接続されてよい。
また、本発明のチューナーメトロノームは、例えば表示制御部のみを備えてもよい。この場合、表示部は、例えば外部装置として構成され、表示制御部と無線又は有線の通信回線によって接続されてよい。
【符号の説明】
【００６１】
１…チューナーメトロノーム、２…表示部、３…表示制御部、４…偏差検出部、５…メトロノーム部、６…モード切換部、１１…第一画像、１２…第二画像、２１…第一セグメント、２２…第二セグメント、Ｄ１…周方向（移動方向）、Ｄ２…径方向、ＭＲ１…第一画像１１の移動範囲、ＭＲ２…第二画像１２の移動範囲、ＲＰ…基準点
【図１】
2019045825.tif 000003
【図２】
2019045825.tif 000004
【図３】
2019045825.tif 000005
【図４】
2019045825.tif 000006
【図５】
2019045825.tif 000007
【図６】
2019045825.tif 000008
【図７】
2019045825.tif 000009